(57)【要約】【課題】    重要書類や書籍等の媒体にタグを付与し、所望の媒体に付与されたタグを検知領域の異なる複数の検知手段によって任意の方向で検知して所望の媒体の存在位置を特定することが可能な物体検知方法および装置を提供する。【解決手段】    検知対象の物体に所定の情報を有するタグを付与し、該タグのタグ情報を検知領域が順次小さくなる複数のタグ検知手段を有するタグ検出装置により検知し、検知領域が大きいタグ検出手段で前記タグのタグ情報を検知すると、該タグ検出装置を該タグ検知手段の検知領域内で移動させ、該移動により検知領域が大きいタグ検出手段よりも検知領域が小さいタグ検出手段でタグのタグ情報を検知し、上記動作を繰り返すことにより検知対象の物体が該検知領域が最小のタグ検出手段の検知領域内に存在すると判別する。【選択図】  図１
2005134322.tif 000002
【特許請求の範囲】
【請求項１】
所定の空間に存在する物体を検出する物体検知方法において、
検知対象の物体に所定の情報を有するタグを付与し、
該タグのタグ情報を検知領域が順次小さくなる複数のタグ検知手段を有するタグ検出装置により検知し、
前記検知領域が大きいタグ検出手段で前記タグのタグ情報を検知すると、該タグ検出装置を該タグ検知手段の検知領域内で移動させ、
該移動により前記検知領域が大きいタグ検出手段よりも検知領域が小さいタグ検出手段で前記タグのタグ情報を検知すると、該タグ検出装置を該検知領域が小さいタグ検知手段の検知領域内で移動させ、
上記動作を繰り返すことにより検知領域が最小のタグ検出手段で前記タグのタグ情報が検知されたときに、前記検知対象の物体が該検知領域が最小のタグ検出手段の検知領域内に存在すると判別する
ことを特徴とする物体検知方法。
【請求項２】
前記複数のタグ検知手段の内の検知領域が最大のタグ検知手段を最初に起動し、該タグ検知手段により前記タグのタグ情報が検知されると、該検知領域が小さくなる順で他のタグ検知手段を切り替えて順次起動して前記タグのタグ情報の検知を行う
ことを特徴とする請求項１記載の物体検知方法。
【請求項３】
前記複数のタグ検知手段を同時に起動し、いずれかのタグ検知手段により前記タグのタグ情報が検知されると、該タグ情報を検知したタグ検知手段より検知領域が小さい検知手段の検知出力を採用して前記タグのタグ情報の検知を行う
ことを特徴とする請求項１記載の物体検知方法。
【請求項４】
前記タグは、
所定の駆動磁界の供与により所定のタグ情報を発生する磁気タグである
ことを特徴とする請求項１乃至３のいずれかに記載の物体検知方法。
【請求項５】
前記タグは、
所定の駆動磁界の供与により所定のタグ情報を発生する集積回路タグである
ことを特徴とする請求項１乃至３のいずれかに記載の物体検知方法。
【請求項６】
所定の空間内を移動して該空間内に存在する所定の情報を有するタグが付与された検知対象の物体を検出する物体検知装置において、
前記タグのタグ情報を検知する検知領域がそれぞれ異なる複数のタグ検知手段と、
前記複数のタグ検知手段による前記タグ情報の検知をそれぞれ報知する第１の報知手段と、
前記複数のタグ検知手段の内の前記検知領域が最小のタグ検知手段による前記タグのタグ情報の検知により、前記検知対象の物体が該タグ検出手段の検知領域内に存在すると報知する第２の報知手段と
を具備することを特徴とする物体検知装置。
【請求項７】
前記複数のタグ検知手段は、
前記検知領域が順次小さくなるように設定され、
前記検知領域が最大のタグ検知手段が最初に起動され、該タグ検知手段により前記タグのタグ情報が検知されると、他のタグ検知手段が前記検知領域が小さくなる順で順次起動される
ことを特徴とする請求項６記載の物体検知装置。
【請求項８】
前記複数のタグ検知手段は、
前記検知領域が順次小さくなるように設定され、
全ての検知手段が同時に起動され、いずれかのタグ検知手段により前記タグのタグ情報が検知されると、該タグ情報を検知したタグ検知手段より検知領域が小さい検知手段の検知出力を採用して前記タグのタグ情報の検知を行う
ことを特徴とする請求項６記載の物体検知装置。
【請求項９】
前記第１のおよび第２の報知手段は、
前記タグのタグ情報の検知を光により報知する発光手段
であることを特徴とする請求項６記載の物体検知装置。
【請求項１０】
前記第１のおよび第２の報知手段は、
前記タグのタグ情報の検知を音により報知する発音手段
であることを特徴とする請求項６記載の物体検知装置。
【請求項１１】
前記タグは、
所定の駆動磁界の供与により所定のタグ情報を発生する磁気タグであり、
前記複数のタグ検知手段は、
前記磁気タグに所定の磁界を与える磁界発生コイルと、
前記磁気タグから発生されたタグ情報を検知する検知コイルと
をそれぞれ具備することを特徴とする請求項６乃至１０のいずれかに記載の物体検知装置。
【請求項１２】
前記タグは、
所定の駆動磁界の供与により所定のタグ情報を発生する磁気タグであり、
前記複数のタグ検知手段は、
前記検知領域の全てに存在する磁気タグに共通に所定の磁界を与える磁界発生コイルと、
前記磁気タグから発生されたタグ情報を個別に検知する複数の検知コイルと
を具備することを特徴とする請求項６乃至１０のいずれかに記載の物体検知装置。
【請求項１３】
前記タグは、
所定の駆動磁界の供与により所定のタグ情報を発生する磁気タグであり、
前記複数のタグ検知手段は、
前記検知領域に存在する磁気タグに個別に所定の磁界を与える複数の磁界発生コイルと、
前記磁気タグから発生されたタグ情報を共通に検知する検知コイルと
を具備することを特徴とする請求項６乃至１０のいずれかに記載の物体検知装置。
【発明の詳細な説明】
【技術分野】
【０００１】
この発明は、物体検知方法および装置に関し、特に、重要書類や書籍等の媒体にタグを付与し、所望の媒体に付与されたタグを検知領域の異なる複数の検知手段によって任意の方向で検知して所望の媒体の存在位置を特定することが可能な物体検知方法および装置に関する。
【背景技術】
【０００２】
近年、ＩＣタグを商品に付けて商品を管理するシステム、例えば、ＡＣＣＵＷＡＶＥシステム（大日本印刷株式会社製）を用いてＩＣタグ（通信周波数を例えば１３．５６ＭＨｚ）を洋服等の商品につけて個々の商品を管理するようなシステムが提供されている。
【０００３】
また、磁気タグを商品や書類等の媒体に付与し、この磁気タグが付与された媒体が出入口付近に設置されたゲート状に形成されたタグ検知装置を通過した際に、タグ検知装置が磁気タグ の情報を検知し、持ち出し可否を判断して万引盗難や機密書類の漏洩等を防止するようなシステムが提供されている。
【０００４】
また、特許文献１に示されるように、非接触型ＩＣカードが負荷の大きさの程度により、データ等の信号に不都合な動作を生じることを防止し、非接触型ＩＣカードをより確実に検知可能とするような非接触型ＩＣカードおよび送受信回路が提案されている。
【特許文献１】特開平１０−３２２２５０号公報
【発明の開示】
【発明が解決しようとする課題】
【０００５】
しかしながら、上記提案のシステム及び特許文献１においては、ＩＣタグをつけた商品が重なり合うことにより、ＩＣタグが略接触状態（〜２ｃｍ以下）になると、ＩＣタグが互いに干渉してＩＣタグから情報を検知することが困難となる場合がある。
【０００６】
また、複数の商品にそれぞれ付けられた複数のＩＣタグの情報を同時に検知し識別するためには、ＩＣチップの中に複数のＩＣタグの中から各ＩＣタグが特定できるような専用ロジックのプログラムまたは回路を持たせる必要があり、ＩＣチップのサイズが大型化する。
【０００７】
磁性タグが付与された商品の万引盗難や機密書類等の漏洩を防止するシステムのタグ検知装置を、例えば、磁性タグを重要書類に付与し、オフィス等に設置された個人の机上に置かれた多くの書類の中、もしくは書棚等に収納された多くのファイルの中から所望の重要書類を効率よく探し出す装置として適用した場合は、次のような問題がある。
【０００８】
例えば、タグ検知装置の検知領域を大きくすることで検知領域内に存在する全ての磁性タグを検出することは可能であるが、検出した複数の磁性タグの中から所望の重要書類に付与された磁性タグと、当該磁性タグが付与された重要書類の存在位置を特定することは困難である。
【０００９】
この困難を解決するためには、タグ検知装置が検出した全ての磁性タグの中から所望の重要書類に付与された磁性タグとその存在位置を特定する処理や装置等を別途付加する必要がり、装置が複雑大型化するとともにコスト面においても問題がある。
【００１０】
一方、タグ検知装置の検知領域を小さくし、タグ検知装置を移動させながら所望の重要書類に付与された磁性タグを検知して、所望の重要書類が存在する位置を特定することも可能であるが、この場合には探索領域が大きいことと、タグ検知装置を広範囲に移動させる必要があり、多くの時間と労力が必要となる。
【００１１】
そこで、この発明は、重要書類や書籍等の媒体にタグを付与し、所望の媒体に付与されたタグを検知領域の異なる複数の検知手段によって任意の方向で検知して所望の媒体の存在位置を特定することが可能な物体検知方法および装置を提供することを目的とする。
【課題を解決するための手段】
【００１２】
上記目的を達成するため、請求項１の発明は、所定の空間に存在する物体を検出する物体検知方法において、検知対象の物体に所定の情報を有するタグを付与し、該タグのタグ情報を検知領域が順次小さくなる複数のタグ検知手段を有するタグ検出装置により検知し、前記検知領域が大きいタグ検出手段で前記タグのタグ情報を検知すると、該タグ検出装置を該タグ検知手段の検知領域内で移動させ、該移動により前記検知領域が大きいタグ検出手段よりも検知領域が小さいタグ検出手段で前記タグのタグ情報を検知すると、該タグ検出装置を該検知領域が小さいタグ検知手段の検知領域内で移動させ、上記動作を繰り返すことにより検知領域が最小のタグ検出手段で前記タグのタグ情報が検知されたときに、前記検知対象の物体が該検知領域が最小のタグ検出手段の検知領域内に存在すると判別することを特徴とする。
【００１３】
また、請求項２の発明は、請求項１の発明において、前記複数のタグ検知手段の内の検知領域が最大のタグ検知手段を最初に起動し、該タグ検知手段により前記タグのタグ情報が検知されると、該検知領域が小さくなる順で他のタグ検知手段を切り替えて順次起動して前記タグのタグ情報の検知を行うことを特徴とする。
【００１４】
また、請求項３の発明は、請求項１の発明において、前記複数のタグ検知手段を同時に起動し、いずれかのタグ検知手段により前記タグのタグ情報が検知されると、該タグ情報を検知したタグ検知手段より検知領域が小さい検知手段の検知出力を採用して前記タグのタグ情報の検知を行うことを特徴とする。
【００１５】
また、請求項４の発明は、請求項１乃至３のいずれかの発明において、前記タグは、所定の駆動磁界の供与により所定のタグ情報を発生する磁気タグであることを特徴とする。
【００１６】
また、請求項５の発明は、請求項１乃至３のいずれかの発明において、前記タグは、所定の駆動磁界の供与により所定のタグ情報を発生する集積回路タグであることを特徴とする。
【００１７】
また、請求項６の発明は、所定の空間内を移動して該空間内に存在する所定の情報を有するタグが付与された検知対象の物体を検出する物体検知装置において、前記タグのタグ情報を検知する検知領域がそれぞれ異なる複数のタグ検知手段と、前記複数のタグ検知手段による前記タグ情報の検知をそれぞれ報知する第１の報知手段と、前記複数のタグ検知手段の内の前記検知領域が最小のタグ検知手段による前記タグのタグ情報の検知により、前記検知対象の物体が該タグ検出手段の検知領域内に存在すると報知する第２の報知手段とを具備することを特徴とする。
【００１８】
また、請求項７の発明は、請求項６の発明において、前記複数のタグ検知手段は、前記検知領域が順次小さくなるように設定され、前記検知領域が最大のタグ検知手段が最初に起動され、該タグ検知手段により前記タグのタグ情報が検知されると、他のタグ検知手段が前記検知領域が小さくなる順で順次起動されることを特徴とする。
【００１９】
また、請求項８の発明は、請求項６の発明において、前記複数のタグ検知手段は、前記検知領域が順次小さくなるように設定され、全ての検知手段が同時に起動され、いずれかのタグ検知手段により前記タグのタグ情報が検知されると、該タグ情報を検知したタグ検知手段より検知領域が小さい検知手段の検知出力を採用して前記タグのタグ情報の検知を行うことを特徴とする。
【００２０】
また、請求項９の発明は、請求項６の発明において、前記第１のおよび第２の報知手段は、前記タグのタグ情報の検知を光により報知する発光手段であることを特徴とする。
【００２１】
また、請求項１０の発明は、請求項６の発明において、前記第１のおよび第２の報知手段は、前記タグのタグ情報の検知を音により報知する発音手段であることを特徴とする。  また、請求項１１の発明は、請求項６乃至１０のいずれかの発明において、前記タグは、所定の駆動磁界の供与により所定のタグ情報を発生する磁気タグであり、前記複数のタグ検知手段は、前記磁気タグに所定の磁界を与える磁界発生コイルと、前記磁気タグから発生されたタグ情報を検知する検知コイルとをそれぞれ具備することを特徴とする。
【００２２】
また、請求項１２の発明は、請求項６乃至１０のいずれかの発明において、前記タグは、所定の駆動磁界の供与により所定のタグ情報を発生する磁気タグであり、前記複数のタグ検知手段は、前記検知領域の全てに存在する磁気タグに共通に所定の磁界を与える磁界発生コイルと、前記磁気タグから発生されたタグ情報を個別に検知する複数の検知コイルとを具備することを特徴とする。
【００２３】
また、請求項１３の発明は、請求項６乃至１０のいずれかの発明において、前記タグは、所定の駆動磁界の供与により所定のタグ情報を発生する磁気タグであり、前記複数のタグ検知手段は、前記検知領域に存在する磁気タグに個別に所定の磁界を与える複数の磁界発生コイルと、前記磁気タグから発生されたタグ情報を共通に検知する検知コイルとを具備することを特徴とする。
【発明の効果】
【００２４】
この発明の物体検知方法および装置によれば、検知対象の物体に所定の情報を有するタグを付与し、該タグのタグ情報を検知領域が順次小さくなる複数のタグ検知手段を有するタグ検出装置により検知し、前記検知領域が大きいタグ検出手段で前記タグのタグ情報を検知すると、該タグ検出装置を該タグ検知手段の検知領域内で移動させ、該移動により前記検知領域が大きいタグ検出手段よりも検知領域が小さいタグ検出手段で前記タグのタグ情報を検知すると、該タグ検出装置を該検知領域が小さいタグ検知手段の検知領域内で移動させ、上記動作を繰り返すことにより検知領域が最小のタグ検出手段で前記タグのタグ情報が検知されたときに、前記検知対象の物体が該検知領域が最小のタグ検出手段の検知領域内に存在すると判別するように構成にしたので、複数の物体の中から所望の物体を容易に探し出すことができる。
【００２５】
また、複数のタグ検知手段のうちのタグに駆動磁界を供与する手段、もしくは駆動磁界の供与によりタグが発するタグ情報を検知する手段のいずれかを各タグ検知手段で兼用して使用可能であるので、検知領域に対応した検知手段を有するタグ検出装置を個別に使用する場合と比べて低コスト化及び装置の簡素化が可能となるという効果を奏する。
【発明を実施するための最良の形態】
【００２６】
以下の実施例は、この発明の物体検知方法および装置を例えば、重要書類や書籍等にタグを付与し、オフィス等に設置された個人の机の上に置かれた複数の書類や書棚等に収納された複数の書籍の中から所望の重要書類や書籍等に付与されたタグを検知し、タグが付与された所望の重要書類や書籍等を迅速に探し出すための書類検知装置に適用した場合を想定して示したものである。
【実施例１】
【００２７】
図１は、この発明に係わる物体検知方法および装置を適用した書類検知装置の一実施例の全体の構成を示す斜視図である。
【００２８】
図１に示すようにオフィス内に設置された机１の机上には、重要書類を含む複数の書類がファイリングされた複数のファイル２と、機密文書３を含む複数の文書が蓄積された複数の文書の束３０が置かれている。
【００２９】
重要書類がファイリングされたファイル２と機密文書３には、それぞれタグ４が付与されており、これらのタグ４を書類検知装置１００が検知して、タグ４が付与されたファイル２０や機密文書３の存在位置を知らせるように構成されている。
【００３０】
書類検知装置１００は、広範囲でタグ４を検知可能とする第一検知領域５（二点鎖線で示された領域）と、第一検知領域５より狭範囲でタグ４を検知可能とする第二検知領域６（一点鎖線で示された領域）の複数の検知領域５、６を形成し、図示せぬユーザが携帯して任意の方向へ自由に移動することが可能なように構成されている。
【００３１】
書類検知装置１００は、形成した第一および第二検知領域５、６内でタグ４を検知すると、警報装置１０６を介してタグ４が検知領域５、６のいずれの検知領域で検知されたか等の情報を出力して知らせる。
【００３２】
警報装置１０６は、例えば書類検知装置１００にランプや音声出力装置等を配置して用いることが可能であり、例えば第一検知領域５内でタグ４を検知した場合は第一ランプを点滅させ、第二検知領域６内でタグ４を検知した場合は第二ランプを点滅させて知らせるようにしてもよく、音声出力装置を介してタグ４を検知した各検知領域５、６に対応した音やメッセージ等で出力するようにしてもよい。
【００３３】
この実施例では、第一検知領域５内でタグ４を検知した場合は第一ランプ１０６１を点滅させ、第二検知領域６内でタグ４を検知した場合は第二ランプ１０６２を点滅させるような警報装置１０６を用いた例を想定して示してある。
【００３４】
ところで、重要書類がファイリングされたファイル２や機密文書３に付与するタグ４は、例えばタグ４に対して所定の交番磁界を与えることによりタグ４が有する固有の保磁力を超える磁界強度の交番磁界を受けて磁化反転する際に急峻なパルス信号を発する、いわゆる大バルクハウゼン効果特性を有するような磁性タグ（以下、「大バルクハウゼン磁性タグ」という。）を用いてもよく、タグ４に対して所定周波数の交番磁界を与えることによりタグ４が磁歪振動する、いわゆる磁歪振動特性を有するような磁性タグ（以下、「磁歪振動磁性タグ」という。）を用いてもよく、タグ４に対して所定の電磁波を与えることにより電源を得て動作するＩＣチップのＩＣタグを用いてもよい。
【００３５】
ここで、大バルクハウゼン磁性タグ、磁歪振動磁性タグの特性について図２及び図３を参照しながら簡単に説明する。
【００３６】
図２は、大バルクハウゼン磁性タグの特性を説明する図であり、図２（ａ）は、大バルクハウゼン磁性タグを構成する長さの異なる複数の磁性素子Ｌ、２Ｌ、３Ｌ、４Ｌが形成された機密文書２００の一例を示す図であり、図２（ｂ）は、図２（ａ）に示した磁性素子Ｌ、２Ｌ、３Ｌ、４Ｌが交番磁界を受けて磁化反転時に発する固有パルス信号を示す図である。
【００３７】
なお、各磁性素子Ｌ２１１、２Ｌ２１２、３Ｌ２１３、４Ｌ２１４の長さは、Ｌ＜２Ｌ＜３Ｌ＜４Ｌの順に長いものとする。
【００３８】
各磁性素子Ｌ２１１、２Ｌ２１２、３Ｌ２１３、４Ｌ２１４は、例えば、Ｆｅ−Ｃｏ系アモルファス材の磁性素子であり、これらの各磁性素子を所定の交番磁界中に置くと、各磁性素子Ｌ２１１、２Ｌ２１２、３Ｌ２１３、４Ｌ２１４が有する固有の保磁力を超える磁界強度の交番磁界を受けて磁化反転し、その際に急峻なパルス信号を発する特性を有している。
【００３９】
各磁性素子Ｌ２１１、２Ｌ２１２、３Ｌ２１３、４Ｌ２１４が有する各磁性素子固有の保磁力は、各磁性素子の大きさ等によって異なり、例えば磁性素子Ｌ２１１の保磁力がＨ１、磁性素子２Ｌ２１２の保磁力がＨ２、磁性素子３Ｌ２１３の保磁力がＨ３、磁性素子４Ｌ２１４の保磁力がＨ４とすると、これらの各磁性素子が図２（ｂ）に示すような所定周波数の交番磁界２０１を受けることにより磁化反転し、パルス信号Ａ、Ｂ、Ｃ、Ｄを発する。
【００４０】
例えば、交番磁界２０１の磁界強度がそれぞれＨ１、Ｈ２、Ｈ３、Ｈ４を超える時間ｔ１、ｔ２、ｔ３、ｔ４の時に、各磁性素子Ｌ２１１、２Ｌ２１２、３Ｌ２１３、４Ｌ２１４がそれぞれ磁化反転し、その際にパルス信号Ａ、Ｂ、Ｃ、Ｄを発する。
【００４１】
パルス信号Ａは、磁性素子Ｌ２１１が磁化反転時に発するパルス信号、パルス信号Ｂは、磁性素子２Ｌ２１２が磁化反転時に発するパルス信号、パルス信号Ｃは、磁性素子３Ｌ２１３が磁化反転時に発するパルス信号、パルス信号Ｄは、磁性素子４Ｌ２１４が磁化反転時に発するパルス信号をそれぞれ示している。
【００４２】
このように、大バルクハウゼン磁性タグ２２０に対して所定周波数の交番磁界を与えることにより、大バルクハウゼン磁性タグ２２０が磁化反転時に急峻なパルス信号を発し、このパルス信号を検出することにより、大バルクハウゼン磁性タグ２２０を検知することができる。
【００４３】
また、大バルクハウゼン磁性タグ２２０を構成する各磁性素子は、その大きさ等に応じて保磁力が異なるので、保磁力の異なる磁性素子を複数用意して図２（ａ）に示した機密文書２００のように複数の磁性素子を組合わせて所望の機密文書に大バルクハウゼン磁性タグ２２０を付与すれば、検知したパルス信号のパターンに基づいて大バルクハウゼン磁性タグ２２０を構成する磁性素子の組合せが特定でき、特定された磁性素子の組合せに対応した大バルクハウゼン磁性タグ２２０が付与された機密文書の特定も可能となる。
【００４４】
したがって、書類検知装置１００の検知領域内に複数の大バルクハウゼン磁性タグが付与された機密文書が存在する場合においても、所望の機密文書に付与された大バルクハウゼン磁性タグが特定でき、所望の機密文書の存在位置を特定することが可能となる。
【００４５】
なお、図２の例では、所望の機密文書に複数の磁性素子を組合わせた大バルクハウゼン磁性タグの例を示したが、大バルクハウゼン磁性タグを一つの磁性素子で形成し、機密文書等の媒体に付与するようにしてもよい。
【００４６】
図３は、磁歪振動磁性タグの特性を説明する図であり、図３（ａ）から（ｃ）は、磁歪振動特性を有する長さの異なる細い薄箔の形状に形成された磁歪素子１Ｍ３１１、２Ｍ３１２、３Ｍ３１３がそれぞれ漉き込まれて付与された機密文書３０１、３０２、３０３を示す図であり、図３（ｄ）から（ｆ）は、各磁歪素子１Ｍ３１１、２Ｍ３１２、３Ｍ３１３がそれぞれ有する固有の残留磁歪振動の共振周波数特性を示す図である。
【００４７】
各磁歪素子１Ｍ３１１、２Ｍ３１２、３Ｍ３１３は、フェライトやアモルファス等の素子であり、このアモルファス等の磁歪素子は、外部から磁界を与えると寸法変化を起こすような、いわゆる磁歪する特性を有している。
【００４８】
なお、図３（ａ）から（ｃ）において、磁歪素子１Ｍ３１１、２Ｍ３１２、３Ｍ３１３の長さはＭ＜２Ｍ＜３Ｍの順に長いものとする。
【００４９】
このような磁歪特性を有する磁歪素子で形成された磁歪振動磁性タグに対して所定周波数の交番磁界を与えると、磁歪素子が交番磁界の周波数に共振して磁歪振動する。
【００５０】
この磁歪素子が磁歪振動する周波数は、磁歪素子の大きさや形状等によってそれぞれ異なり、磁歪素子の大きさや形状等に応じた固有の磁歪振動する周波数（以下、「共振周波数」という。）を有する。
【００５１】
この磁歪素子の磁歪振動は、磁歪素子へ与える交番磁界を停止しても短時間の間は収束しながら持続される。
【００５２】
なお、ここでは、説明の便宜上、磁歪素子が磁歪素子固有の共振周波数近傍の交番磁界を受けて磁歪振動し、磁歪振動後、磁歪素子に与える交番磁界を停止しても短時間の間、磁歪素子の磁歪振動が持続されている振動のことを「残留振動」という。
【００５３】
また、逆に磁歪特性を有す磁歪素子に対して外部から力を加えて寸法変化させると、磁歪素子の磁化状態が変化し、磁歪素子の自己共振周波数近傍の周波数の交番磁界を磁歪素子に与えて磁歪振動させれば、磁歪振動している磁歪素子からは磁歪振動周波数に対応した電磁波が放出される。
【００５４】
図３（ａ）から（ｃ）に示すように、長さの異なる各磁歪素子１Ｍ３１１、２Ｍ３１２、３Ｍ３１３で形成された各磁歪振動磁性タグが付与された各機密文書３０１、３０２、３０３に対して交番磁界の周波数を例えば低周波から高周波へ順次変化させながら交番磁界を一定時間与えた後、一定時間、各磁歪振動磁性タグ１Ｍ３１１、２Ｍ３１２、３Ｍ３１３の残留振動により発せられる電磁波を検出すると、図３（ｄ）から（ｆ）で示すような各磁歪振動磁性タグ１Ｍ３０１、２Ｍ３０２、３Ｍ３０３に対応した各磁歪振動磁性タグ固有の共振周波数Ｅ、Ｆ、Ｇのパルス信号が検出される。
【００５５】
なお、パルス信号Ｅは、磁歪振動磁性タグ１Ｍ３０１の共振周波数を示すパルス信号であり、パルス信号Ｆは、磁歪振動磁性タグ２Ｍ３０２の共振周波数を示すパルス信号、パルス信号Ｇは、磁歪振動磁性タグ３Ｍ３０３の共振周波数を示すパルス信号である。
【００５６】
このように、磁歪振動特性を有する磁歪振動磁性タグに対して低周波から高周波へ、もしくは高周波から低周波へ順次変化する交番磁界を与え、磁歪振動磁性タグの磁歪振動によって発する電磁波を検出してパルス信号の共振周波数を特定することにより、磁歪振動磁性タグを検知することが可能である。
【００５７】
また、磁歪振動磁性タグは、その大きさ等に応じて固有の磁歪振動の共振周波数を有しているので、共振周波数の異なる磁歪素子を複数用意して機密文書に付与すれば、検知した共振周波数に対応した磁歪素子で形成された磁歪振動磁性タグが特定でき、特定された共振周波数の磁歪振動磁性タグが付与された機密文書の特定も可能となる。
【００５８】
なお、図３の例では、所望の機密文書に一つの磁歪素子で一つの磁歪振動磁性タグを形成する例を示したが、複数の磁歪素子を組合わせて磁歪振動磁性タグを形成するようにしてもよい。
【００５９】
図４は、この発明に係わる書類検知装置１００の構成を示すブロック図である。
【００６０】
図４（ａ）は、書類検知装置１００の概略の正面図であり、図４（ｂ）は、書類検知装置１００の側面図、図４（ｃ）は、書類検知装置１００で用いられるコイル仕様の一例を示した表である。
【００６１】
なお、図４（ａ）の正面図に示した書類検知装置１００の大きさは、図４（ｂ）の側面図に示したコイル径の値に対応して示したものではなく、図４（ａ）の正面図に示した書類検知装置１００の大きさが図４（ｂ）に示した側面図から制限されるものではない。
【００６２】
また、図４で示した書類検知装置１００は、図２で示したような大バルクハウゼン磁性タグの磁性タグを機密文書に付与し、所望の機密文書に付与された磁性タグを検知して、机上に置かれた多くの書類の中から所望の機密文書を探し出す例を想定して示したものであり、ここでは、説明の便宜上、図１で示したタグ４を磁性タグ４に置換えて説明する。
【００６３】
図４（ａ）に示すように、書類検知装置１００は、機密文書等の媒体に付与された磁性タグ４を広範囲で励磁可能とする第一励磁領域を形成する第一励磁用コイル１０１と、第一励磁領域よりは狭い範囲で磁性タグを励磁可能とする第二励磁領域を形成する第二励磁用コイル１０２と、第一及び第二励磁用コイル１０１、１０２で所定周波数の交番磁界を発生させ、第一及び第二励磁領域を形成するための制御を行う交番磁界生成部１０４と、第一及び第二励磁用コイル１０１、１０２から発生した交番磁界を受けて磁性タグ４が磁化反転し、その際に磁性タグ４が発するパルス信号を受信する検知用コイル１０３と、検知用コイル１０３を介して受信したパルス信号に基づいて、磁性タグ４が第一励磁領域及び第二励磁領域のいずれの領域内で磁化反転したかを検知する信号検知部１０５と、信号検知部１０５の検知結果に基づき第一励磁領域内で磁性タグ４が磁化反転した旨、もしくは第二励磁領域内で磁性タグ４が磁化反転した旨を知らせる警報装置１０６を備えている。  
なお、ここでは、第一励磁用コイル１０１が形成した第一励磁領域内で磁性タグ４が磁化反転し、その際に発するパルス信号を検知用コイル１０３が検知するように形成された領域を第一検知領域５、第二励磁用コイル１０２が形成した第二励磁領域内で磁性タグ４が磁化反転し、その際に発するパルス信号を検知用コイル１０３が検知するように形成された領域を第二検知領域６といい、第一及び第二の各検知領域５、６の検知範囲は、励磁コイル及び検知コイルの各コイル仕様、例えばコイル径やコイルの巻数、透磁率等に応じて異なる。
【００６４】
例えば交番磁界生成部１０４が周波数１ｋＨｚの電流を第一励磁用コイル１０１、第二励磁用コイル１０２に流すように制御すると、周波数１ｋＨｚの交番磁界が第一及び第二励磁用コイル１０１、１０２に発生する。
【００６５】
図４（ｂ）、（ｃ）に示すように、第一励磁用コイル１０１、第二励磁用コイル１０２は、第一励磁用コイル１０１のコイル径が１０ｃｍ、第二励磁用コイル１０２のコイル径が１．６ｃｍとで異なる他は、コイルの巻数が１００、透磁率μが０．０００００１２６がそれぞれ同値であり、各コイル１０２、１０３には周波数が１０００Ｈｚの０．２アンペアの大きさの電流を流すように構成されている。
【００６６】
また、第一及び第二励磁用コイル１０１、１０２から発生した交番磁界を受けて、磁性タグ４が磁化反転時に発するパルス信号を受信する検知用コイル１０３は、第一励磁用コイル１０１と同様に、コイル径が１０ｃｍ、コイルの巻数が１００、透磁率μが０．０００００１２６で構成されている。
【００６７】
このように構成された第一励磁用コイル１０１、第二励磁用コイル１０２に対して交番磁界生成部１０４が例えば、周波数１ｋＨｚで０．２アンペアの電流を流すように制御すると、第一励磁用コイル１０１及び第二励磁用コイル１０２からは共に周波数１ｋＨｚの交番磁界が発生するが、各コイル中心からの距離に対する交番磁界の磁界強度は、各コイルの径によって異なる。
【００６８】
図５は、第一、第二の各励磁用コイル１０１、１０２から発生する交番磁界の磁界強度と各励磁用コイル１０１、１０２及び検知用コイル１０３によって磁性タグ４が磁化反転時に発するパルス信号が検知可能な検知領域５、６を示した図である。
【００６９】
図５（ａ）は、各励磁用コイル１０１、１０２の各中心からの距離（ｍ）に対する磁界強度（ｍＧ＝ミリガウス）の特性を示すグラフであり、図５（ｂ）は、図５（ａ）で示したグラフ特性を有する各励磁用コイル１０１、１０２と励磁用コイル１０１と同一仕様の検知用コイル１０３で形成された第一及び第二励磁領域５、６を示す図である。
【００７０】
なお、図５で示した第一検知領域５、第二検知領域６は、磁性タグ４の保磁力が２０ｍＧの場合において、磁性タグ４が磁化反転時に発するパルス信号が検知可能な領域として示したものであり、第一検知領域５、第二検知領域６の領域範囲は、磁性タグ４の保磁力の値によって異なる。
【００７１】
図５（ａ）に示すように、第一、第二の各励磁用コイル１０１、１０２の特性グラフ５０、６０は、横軸に各励磁用コイル１０１、１０２の中心からの距離（メートル）、縦軸に各励磁用コイル１０１、１０２の中心からの距離に対する磁界強度の大きさが示されており、例えば第一励磁用コイル１０１の特性グラフ５０の点Ａでは、第一励磁用コイル１０１で発生した交番磁界の磁界強度が、第一励磁用コイル１０１の中心からの距離が２５ｃｍの位置で２０ｍＧ（ミリガウス）の大きさであることを示している。
【００７２】
特性グラフ５０の点Ａより右側、すなわち第一励磁用コイル１０１の中心からの距離が２５ｃｍ以上の位置では、第一励磁用コイル１０１から発生する交番磁界の磁界強度は、２０ｍＧより小さくなる。
【００７３】
したがって、第一励磁用コイル１０１の中心からの距離が２５ｃｍ以上の位置では、磁性タグ４が磁性タグ４の保磁力２０ｍＧを超える磁界強度の交番磁界を受けないので磁性タグ４の磁化反転は起こらずパルス信号も発生しない。
【００７４】
特性グラフ５０の点Ａより左側、すなわち第一励磁用コイル１０１の中心からの距離が２５ｃｍ以内の位置では、第一励磁用コイル１０１から発生する交番磁界の磁界強度が２０ｍＧより大きくなるので、この範囲で磁性タグ４が２０ｍＧ以上の磁界強度の交番磁界を受けて磁化反転し、その際にパルス信号を発する。
【００７５】
また、第二励磁用コイル１０２の特性グラフ６０の点Ｂでは、第二励磁用コイル１０２で発生した交番磁界の磁界強度が、第二励磁用コイル１０２の中心からの距離が７ｃｍの位置で２０ｍＧ（ミリガウス）の大きさであることを示している。
【００７６】
特性グラフ５０の場合と同様に、特性グラフ６０の点Ｂより右側、すなわち第二励磁用コイル１０２の中心からの距離が７ｃｍ以上の位置では、第二励磁用コイル１０２から発生する交番磁界の磁界強度は、２０ｍＧより小さくなり、この範囲で磁性タグ４が交番磁界を受けても磁性タグ４の磁化反転が起こらずパルス信号も発生しない。
【００７７】
特性グラフ５０の点Ｂより左側、すなわち第二励磁用コイル１０２の中心からの距離が７ｃｍ以内の位置では、第二励磁用コイル１０２から発生する交番磁界の磁界強度が２０ｍＧより大きくなるので、この範囲で磁性タグ４が２０ｍＧ以上の磁界強度の交番磁界を受けて磁化反転し、その際にパルス信号を発する。
【００７８】
そこで、例えば図１で示した重要書類がファイリングされたファイル２と機密文書３のそれぞれに付与された磁性タグ４の保磁力が例えば２０ｍＧとし、第一、第二の各励磁用コイル１０１、１０２に交番磁界を発生させた状態で磁性タグ４に近づけると、第一励磁用コイル１０１が磁性タグ４の存在する位置から２５ｃｍ以内に近づくと第一励磁用コイル１０１から発生している２０ｍＧ以上の磁界強度を有する交番磁界を磁性タグ４が受けて大バルクハウゼン効果により急峻なパルス信号を発する。
【００７９】
また、第二励磁用コイル１０２が磁性タグ４の存在する位置から７ｃｍ以内に近づくと、第二励磁用コイル１０２から発生している２０ｍＧ以上の磁界強度を有する交番磁界を磁性タグ４が受けて大バルクハウゼン効果により急峻なパルス信号を発する。
【００８０】
そこで、第一励磁用コイル１０１で交番磁界を発生させ、任意の方向へ移動させながら、磁性タグ４が発するパルス信号を検知用コイル１０３を介して信号検知部１０５で検知することにより第一励磁用コイル１０１の中心から２５ｃｍ以内の位置に磁性タグ４が存在することを特定することができる。
【００８１】
更に、第一励磁用コイル１０１の交番磁界を停止し、第二励磁用コイル１０２で交番磁界を発生させて、第一励磁用コイル１０２を移動させた方向へ書類検知装置１００を移動させながら磁性タグ４が発するパルス信号を検知することにより、磁性タグ４の存在位置を第二励磁用コイル１０２の中心から７ｃｍ以内の位置に特定することが可能となる。
【００８２】
このように、書類検知装置１００の第一、第二の各励磁用コイル１０１、１０２で交番磁界を発生させ、各励磁用コイル１０１、１０２で発生した交番磁界によって磁性タグ４が発するパルス信号を検知用コイル１０３で受信することにより、図３（ｂ）に示すような第一各励磁用コイル１０１と検知用コイル１０３によって第一検知領域５が形成され、第二各励磁用コイル１０２と検知用コイル１０３によって第二検知領域６が形成される。
【００８３】
各検知領域５、６内に磁性タグ４が存在すれば、磁性タグ４が磁化反転時にパルス信号を発生させ、磁性タグ４から発せられたパルス信号が検知用コイル１０３を介して受信され、書類検知装置１００が形成した検知領域とパルス信号の受信結果に基づいて磁気タグ４の存在位置が特定することが可能となる。
【００８４】
したがって、所定の保磁力を有する磁性タグ４を媒体に付与し、励磁用コイルの径が異なる複数の励磁用コイルで所定の交番磁界を発生させ、任意の方向へ移動させながら各励磁用コイルから発生した交番磁界によって磁性タグが発するパルス信号を検知することにより、磁性タグ４が付与された媒体の存在位置を特定することが可能となる。
【００８５】
図６は、磁性タグ４が付与された機密文書３を机上の複数の書類の中から書類検知装置１００を用いて探し出す場合の書類検知装置１００の動作を示す処理フローである。
【００８６】
図６を参照しながら書類検知装置１００の処理動作について説明する。
【００８７】
書類検知装置１００の第一検知領域５を形成する第一検知器の電源をＯＮにし、交番磁界生成部１０４の制御によって第一励磁用コイル１０１に周波数１ＫＨｚの交番磁界を発生させる（ステップ６０１）。
【００８８】
なお、書類検知装置１００の図示せぬ第一検知器の電源をＯＮにすると交番磁界生成部１０４が例えば１ＫＨｚの電流を第一励磁用コイル１０１へ流す制御を行い、第一励磁用コイル１０１へ１ＫＨｚの電流が流れることにより１ＫＨｚの交番磁界が第一励磁用コイル１０１から発生するとともに検知用コイル１０３を介して交番磁界及びパルス等の信号を検知する。
【００８９】
第一検知領域５を形成した状態で書類検知装置１００を机上の任意の方向へゆっくりと移動させながら磁性タグ４の存在有無を検知する（ステップ６０２）。
【００９０】
磁性タグ４が第一検知領域５内に存在する場合には、磁性タグ４が第一励磁用コイル１０１から発生した磁性タグ４の保磁力を超える磁界強度の交番磁界を受けて磁化反転し、パルス信号を発する。
【００９１】
磁性タグ４が第一検知領域５の交番磁界を受けて磁化反転時に発するパルス信号を書類検知装置１００の検知コイル１０３を介して受信し、信号検知部１０５が磁性タグ４の検知を認識すると（ステップ６０３でＹＥＳ）、第一検知領域５内に磁性タグ４が存在する旨を、警報装置１０６の第一ランプ１０６１を点滅させてユーザへ知らせる（ステップ６０４）。
【００９２】
第一検知器で磁性タグ４を検知後、磁性タグ４を検知した位置で第一検知器の電源をＯＦＦにした後、書類検知装置１００の第二検知領域６を形成する図示せぬ第二検知器の電源をＯＮにし、交番磁界生成部１０４の制御によって第二励磁用コイル１０２に周波数１ＫＨｚの交番磁界を発生させる（ステップ６０５）。
【００９３】
なお、第二検知器の電源をＯＮにすると交番磁界生成部１０４が例えば１ＫＨｚの電流を第二励磁用コイル１０２へ流す制御を行い、第二励磁用コイル１０２へ１ＫＨｚの電流が流れることにより１ＫＨｚの交番磁界が第二励磁用コイル１０２から発生するとともに検知用コイル１０３を介して交番磁界及びパルス等の信号を検知する。
【００９４】
第二検知領域６を形成した状態で書類検知装置１００を机上の第一検知器で磁性タグ４を検知した方向へゆっくりと移動させながら磁性タグ４の存在有無を検知する（ステップ６０７）。
【００９５】
磁性タグ４が第二検知領域６内に存在する場合には、磁性タグ４が第二励磁用コイル１０２から発生した磁性タグ４の保磁力を超える磁界強度の交番磁界を受けて磁化反転し、パルス信号を発する。
【００９６】
磁性タグ４が第二検知領域６の交番磁界を受けて磁化反転時に発するパルス信号を書類検知装置１００の検知コイル１０３を介して受信し、信号検知部１０５が磁性タグ４の検知を認識すると（ステップ６０７でＹＥＳ）、第二検知領域６内に磁性タグ４が存在する旨を、警報装置１０６の第二ランプ１０６２を点滅させてユーザへ知らせる（ステップ６０８）。
【００９７】
第二検知器で磁性タグ４を検知した位置から７ｃｍ以内に磁性タグ４が付与された機密文書が存在するので、磁性タグ４を検知した位置から７ｃｍ以内の複数の書類の中から所望の機密文書を特定し取出す（ステップ６０９）。
【００９８】
このように磁性タグを機密文書や重要書類等の媒体に付与し、磁性タグの検知範囲の異なる複数の検知領域を形成して、広範囲の検知領域から狭範囲の検知領域へ順次磁性タグを検知することにより、磁性タグが付与された機密文書や重要書類等の所望の媒体の存在位置を特定することが可能となる。
【００９９】
なお、この実施例においては、第一及び第二の各励磁用コイル１０１、１０２で磁性タグに与える交番磁界を生成し、検知用コイル１０３で磁性タグが発するパルス信号を検知するような例を示したが、第二励磁用コイル１０２と同一仕様のコイルを検知用コイルとして更に備え、第一励磁用コイル１０１で形成した第一励磁領域内で磁化反転した磁性タグ４のパルス信号を検知用コイル１０３で検知し、第二励磁用コイル１０２で形成した第二励磁領域内で磁化反転した磁性タグ４のパルス信号を第二励磁用コイル１０２と同一仕様の検知用コイルで検知するようにしてもよい。
【０１００】
また、必要に応じて励磁領域が異なる複数の励磁用コイルと検知範囲の異なる複数の検知用コイルによって磁性タグを検知するようにしてもよく、各励磁用コイル及び検知用コイルの数は特に限定されるものではない。
【０１０１】
更に、励磁領域が異なる複数の励磁用コイルを検知用コイルと兼用可能なように、例えば励磁領域を形成している当該励磁用コイル以外の他の励磁用コイルを検知用コイルとして切替え動作可能なような構成にしてもよい。
【０１０２】
また、図４において、機密文書等の媒体に付与されたタグ４に図３で示した磁歪振動特性を有するような磁歪振動磁性タグを適用し、励磁された磁歪振動磁性タグを検知する場合は、交番磁界生成部１０４が交番磁界の周波数を例えば低周波から高周波へ順次変化させながら各周波数の交番磁界を各励磁用コイル１０１または１０２を介して一定時間形成した後、一定時間、各周波数毎に信号検知部１０５が磁歪振動磁性タグの残留振動により発せられる電磁波を検出するように構成することで、機密文書等の媒体に付与された磁歪振動磁性タグが検知することができる。
【０１０３】
この場合は、同一コイルを一定時間毎に交番磁界を形成する励磁用コイルと磁歪振動磁性タグが発する電磁波を検知する検知用コイルとに兼用して使用できるので、装置が更に簡素化できる。
【実施例２】
【０１０４】
実施例１では所定方向に検知範囲の異なる複数の検知領域を形成し、これらの検知領域をユーザが任意の方向へ移動させることにより検知領域内に存在するタグを検知してタグが付与された機密書類等の媒体の存在位置を特定可能とするような書類検知装置の例を示した。
【０１０５】
実施例２は、実施例１とは他の実施例として所定方向に形成された検知範囲の異なる複数の検知領域を自由に回転させて、任意の方向に検知領域を形成可能とし、これらの検知領域内に存在するタグを検知してタグが付与された機密書類等の媒体の存在位置を特定可能とするような書類検知装置の例を説明する。
【０１０６】
図７は、この発明に係わる物体検知方法および装置の一実施例の全体の構成を示す平面図である。
【０１０７】
なお、図７において、書類検知装置２００は、実施例１で示した書類検知装置１００の各励磁用コイル１０１、１０２及び検知用コイル１０３が回転自在に配置された他は、実施例１と同様であり、書類検知装置２００に係る装置等以外の符号は、説明の便宜上、図１で示した符号と同一の符号を付して説明する。
【０１０８】
図７に示すように、オフィス内に設置された机１の机上には、重要書類を含む複数の書類がファイリングされた複数のファイル２と、機密文書３を含む複数の文書が蓄積された複数の文書の束３０が置かれている。
【０１０９】
重要書類がファイリングされたファイル２と機密文書３には、それぞれタグ４が付与されており、これらのタグ４を書類検知装置２００が検知して、タグ４が付与されたファイル２０や機密文書３の存在を知らせるように構成されている。
【０１１０】
なお、機密文書等の媒体に付与されたタグ４は、実施例１の図２で示したような大バルクハウゼン磁性タグの磁性タグを機密文書に付与し、所望の機密文書に付与された磁性タグを検知して、机上に置かれた多くの書類の中から所望の機密文書を探し出す例を想定して説明する。
【０１１１】
書類検知装置２００は、広範囲で磁性タグ４を検知可能とする第一検知領域６０５（二点鎖線で示された領域）を形成する第一励磁用コイル２０１と、第一検知領域６０５より狭範囲で磁性タグ４を検知可能とする第二検知領域６０６（一点鎖線で示された領域）を形成する第二励磁用コイル２０２と、第一、第二の各励磁用コイル２０１、２０２が形成する各検知領域の交番磁界を受けて磁性タグ４が発するパルス信号を受信する検知用コイル２０３とが書類検知装置２００の先端部に回転自在に配置されている。
【０１１２】
書類検知装置２００は、形成した第一及び第二検知領域６０５、６０６内で磁性タグ４が発するパルス信号を検知すると、警報装置２０６を介して磁性タグ４が検知領域６０５、６０６のいずれの検知領域で検知されたか等の情報を出力して知らせる。
【０１１３】
警報装置２０６は、例えばタグ検知装置２００に配置されたランプや音声出力装置等を用いることが可能であり、例えば第一検知領域６０５内で磁性タグ４を検知した場合は第一ランプを点滅させ、第二検知領域６０６内で磁性タグ４を検知した場合は第二ランプを点滅させて知らせるようにしてもよく、音声出力装置を介して磁性タグ４を検知した各検知領域６０５、６０６に対応した音やメッセージ等で出力するようにしてもよい。
【０１１４】
この実施例では、第一検知領域６０５内で磁性タグ４を検知した場合は第一ランプ２０６１を点滅させ、第二検知領域６０６内で磁性タグ４を検知した場合は第二ランプ２０６２を点滅させるような警報装置２０６を用いた例を想定して示してある。
【０１１５】
図８は、書類検知装置２００の構成を示したブロック図であり、図８（ａ）は、書類検知装置２００の概略の正面図、図８（ｂ）は、書類検知装置２００の側面図、図８（ｃ）は、書類検知装置２００の各コイルの仕様を示した表である。
【０１１６】
なお、図８（ａ）の正面図に示した書類検知装置２００の大きさは、図８（ｂ）の側面図に示したコイル径の値に対応して示したものではなく、図８（ａ）の正面図に示した書類検知装置２００の大きさが図７（ｂ）に示した側面図から制限されるものではない。
【０１１７】
図８（ａ）に示すように、書類検知装置２００は、第一検知領域６０５を形成するための所定周波数の交番磁界を発生させる第一励磁用コイル２０１と、第二の検知領域６０６を形成するための所定周波数の交番磁界を発生させる第二励磁用コイル２０２と、第一および第二励磁用コイル２０１、２０２で所定周波数の交番磁界を発生させるための制御を行う交番磁界生成部２０４と、第一及び第二励磁用コイル２０１、２０２から発生した交番磁界を受けて磁性タグ４が磁化反転時に発するパルス信号を受信する検知用コイル２０３と、検知用コイル２０３を介して受信したパルス信号に基づいて、第一及び第二検知領域６０５、６０６内に磁気タグ４が存在するか否かを検知する信号検知部２０５と、信号検知部２０５の検知結果に基づき第一検知領域６０５内に磁性タグ４を検知した旨、もしくは第二検知領域６０６内に磁性タグ４を検知した旨を知らせる警報装置２０６と、第一及び第二励磁用コイル２０１、２０２と検知用コイル２０３を所定の回転速度で回転させる駆動モータ２０８と、駆動モータ２０８の回転制御を行うとともに信号検知部２０５から入力された磁性タグ４の検知信号に基づき第一及び第二励磁用コイル２０１、２０２と検知用コイル２０３が磁性タグ４を検知した方向で停止制御する駆動制御部２０７を備えている。
【０１１８】
例えば書類検知装置２００の図示せぬ検知器１の電源スイッチをＯＮにすると、交番磁界生成部２０４が周波数１ｋＨｚの電流を第一励磁用コイル２０１へ流すように制御し、周波数１ｋＨｚの交番磁界が第一励磁用コイル２０１から発生するとともに、駆動制御部２０７が駆動モータ２０８を制御して第一及び第二励磁用コイル２０１、２０２と検知用コイル２０３を所定の回転速度で回転させる。
【０１１９】
第一励磁用コイル２０１から発生した交番磁界によって磁性タグ４が磁化反転し、その際に発生したパルス信号が検知用コイル２０３を介して信号検知部２０５が検知すると、  第一検知領域６０５内で磁気タグ４を検知した旨を警報装置２０６の第一ランプ２０６１を点滅させて知らせるとともに、信号検知部２０５が磁性タグ４を検知した情報信号が駆動制御部２０７へ入力され、駆動制御部２０７が駆動モータ２０８を制御して磁性タグ４を検知した方向へ第一及び第二励磁用コイル２０１、２０２と検知用コイル２０３を向けた状態で回転を停止させる。
【０１２０】
また、書類検知装置２００の図示せぬ検知器２の電源スイッチをＯＮにすると、交番磁界生成部２０４が周波数１ｋＨｚの電流を第二励磁用コイル２０２へ流すように制御し、周波数１ｋＨｚの交番磁界が第二励磁用コイル２０２から発生するとともに、駆動制御部２０７が駆動モータ２０８を制御して第一及び第二励磁用コイル２０１、２０２と検知用コイル２０３を所定の回転速度で回転させる。
【０１２１】
第二励磁用コイル２０２から発生した交番磁界によって磁性タグ４が磁化反転し、その際に発生したパルス信号が検知用コイル２０３を介して信号検知部２０５が検知すると、  第二検知領域６０６内で磁気タグ４を検知した旨を警報装置２０６の第二ランプ２０６２を点滅させて知らせるとともに、信号検知部２０５が磁性タグ４を検知した情報信号が駆動制御部２０７へ入力され、駆動制御部２０７が駆動モータ２０８を制御して磁性タグ４を検知した方向へ第一及び第二励磁用コイル２０１、２０２と検知用コイル２０３を向けた状態で回転を停止させる。
【０１２２】
図８（ｂ）、（ｃ）に示すように、第一励磁用コイル２０１、第二励磁用コイル２０２及び検知用コイル２０３は、実施例１で示した第一励磁用コイル１０１、第二励磁用コイル１０２及び検知用コイル１０３とそれぞれ同様な仕様のコイルであり、第一励磁用コイル２０１のコイル径が１０ｃｍ、第二励磁用コイル２０２のコイル径が１．６ｃｍ、第一及び第二の各励磁用コイルの巻数が１００、透磁率μが０．０００００１２６、各コイル１０２、１０３には周波数が１０００Ｈｚの０．２アンペアの大きさの電流を流すように構成されている。
【０１２３】
また、第一及び第二励磁用コイル１０１、１０２から発生した交番磁界を受けて、磁性タグ４が磁化反転時に発するパルス信号を受信する検知用コイル２０３は、第一励磁用コイル２０１と同様に、コイル径が１０ｃｍ、コイルの巻数が１００、透磁率μが０．０００００１２６で構成されている。
【０１２４】
このように構成された第一励磁用コイル２０１、第二励磁用コイル２０２に対して交番磁界生成部２０４が例えば、周波数１ｋＨｚで０．２アンペアの電流を流すように制御すると、第一励磁用コイル２０１及び第二励磁用コイル２０２からは共に周波数１ｋＨｚの交番磁界が発生するが、第一、第二の各励磁用コイル２０１、２０２のコイル径の相違により各励磁用コイル２０１、２０２から発生した交番磁界の磁界強度が各コイルの中心からの距離に対応して異なる磁界強度を示すこととなる。
【０１２５】
第一及び第二励磁用コイル２０１、２０２から発生した交番磁界の磁界強度については、実施例１の図４において説明した場合と同様であるので詳細説明は省略する。
【０１２６】
このように構成された書類検知装置２００が、磁気タグが付与された機密文書を机上の複数の書類の中から探し出す動作について説明する。
【０１２７】
図９は、磁気タグが付与された機密文書を机上の複数の書類の中から書類検知装置２００を用いて探し出す場合の書類検知装置２００の動作を示す処理フローである。
【０１２８】
図９に示すように、書類検知装置２００の第一検知領域６０５を形成する図示せぬ第一検知器の電源をＯＮにし、交番磁界生成部２０４の制御によって第一励磁用コイル２０１に周波数１ＫＨｚの交番磁界を発生させるとともに第一、第二励磁用コイル２０１、２０２及び検知用コイル２０３を所定の回転速度で回転させる（ステップ９０１）。
【０１２９】
なお、書類検知装置２００の第一検知器の電源をＯＮにすると交番磁界生成部２０４が例えば１ＫＨｚの電流を第一励磁用コイル２０１へ流す制御を行い、第一励磁用コイル２０１へ１ＫＨｚの電流が流れることにより１ＫＨｚの交番磁界が第一励磁用コイル２０１から発生するとともに第一、第二励磁用コイル２０１、２０２及び検知用コイル２０３を所定の回転速度で回転させながら検知用コイル２０３を介して交番磁界及びパルス等の信号を検知する。
【０１３０】
第一励磁用コイル２０１の回転方向に第一検知領域６０５を形成した状態で書類検知装置２００を机上の任意の位置へ置くか、机上の任意の方向へゆっくりと移動させながら磁性タグ４の存在有無を検知する（ステップ９０２）。
【０１３１】
磁性タグ４が第一検知領域６０５内に存在する場合には、磁性タグ４が第一励磁用コイル２０１から発生した磁性タグ４の保磁力を超える磁界強度の交番磁界を受けて磁化反転し、パルス信号を発する。
【０１３２】
磁性タグ４が第一検知領域６０５の交番磁界を受けて磁化反転時に発するパルス信号を書類検知装置２００の検知コイル２０３を介して受信し、信号検知部２０５が磁性タグ４の検知を認識すると（ステップ９０３でＹＥＳ）、第一検知領域６０５内に磁性タグ４が存在する旨を、警報装置２０６の第一ランプ２０６１を点滅させてユーザへ知らせるとともに、信号検知部２０５が磁性タグ４を検知した旨の情報信号を駆動制御部２０７へ入力し、入力された情報信号に基づいて駆動制御部２０７が駆動モータ２０８を制御して磁性タグ４を検知した方向へ第一及び第二励磁用コイル２０１、２０２と検知用コイル２０３を向けた状態で回転を停止させる（ステップ９０４）。
【０１３３】
第一検知器で磁性タグ４を検知後、磁性タグ４を検知した位置で第一検知器の電源をＯＦＦにした後、書類検知装置２００の第二検知領域６０６を形成する図示せぬ第二検知器の電源をＯＮにし、交番磁界生成部２０４の制御によって第二励磁用コイル２０２に周波数１ＫＨｚの交番磁界を発生させるとともに第一、第二励磁用コイル２０１、２０２及び検知用コイル２０３を所定の回転速度で回転させる（ステップ９０５）。
【０１３４】
なお、第二検知器の電源をＯＮにすると交番磁界生成部２０４が例えば１ＫＨｚの電流を第二励磁用コイル２０２へ流す制御を行い、第二励磁用コイル２０２へ１ＫＨｚの電流が流れることにより１ＫＨｚの交番磁界が第二励磁用コイル２０２から発生するとともに検知用コイル２０３を介して交番磁界及びパルス等の信号を検知する。
【０１３５】
第二検知領域６０６を形成した状態で書類検知装置２００を机上の第一検知器で磁性タグ４を検知した方向へゆっくりと移動させながら磁性タグ４の存在有無を検知する（ステップ９０７）。
【０１３６】
磁性タグ４が第二検知領域６０６内に存在する場合には、磁性タグ４が第二励磁用コイル２０２から発生した磁性タグ４の保磁力を超える磁界強度の交番磁界を受けて磁化反転し、パルス信号を発する。
【０１３７】
磁性タグ４が第二検知領域６０６の交番磁界を受けて磁化反転時に発するパルス信号を書類検知装置２００の検知コイル２０３を介して受信し、信号検知部２０５が磁性タグ４の検知を認識すると（ステップ９０７でＹＥＳ）、第二検知領域６０６内に磁性タグ４が存在する旨を、警報装置２０６の第二ランプ２０６２を点滅させてユーザへ知らせるとともに、信号検知部２０５が磁性タグ４を検知した旨の情報信号を駆動制御部２０７へ入力し、入力された情報信号に基づいて駆動制御部２０７が駆動モータ２０８を制御して磁性タグ４を検知した方向へ第一及び第二励磁用コイル２０１、２０２と検知用コイル２０３を向けた状態で回転を停止させる（ステップ９０８）。
【０１３８】
第二検知器で磁性タグ４を検知した位置から７ｃｍ以内に磁性タグ４が付与された機密文書が存在するので、磁性タグ４を検知した位置から７ｃｍ以内の複数の書類の中から所望の機密文書を特定し取出す（ステップ９０９）。
【０１３９】
このように磁性タグを機密文書や重要書類等の媒体に付与し、磁性タグの検知範囲の異なる複数の検知領域を形成して、形成した検知領域を回転させながら広範囲の検知領域から狭範囲の検知領域へ順次磁性タグを検知することにより、磁性タグが付与された機密文書や重要書類等の所望の媒体の存在位置を特定することが可能となる。
【０１４０】
なお、励磁用コイルと検知用コイルの構成は、実施例１で示した構成と同様に、第二励磁用コイル２０２と同一仕様のコイルを検知用コイルとして更に備え、第一励磁用コイル２０１で形成した第一励磁領域内で磁化反転した磁性タグ４のパルス信号を検知用コイル２０３で検知し、第二励磁用コイル２０２で形成した第二励磁領域内で磁化反転した磁性タグ４のパルス信号を第二励磁用コイル２０２と同一仕様の検知用コイルで検知するようにしてもよい。
【０１４１】
また、必要に応じて励磁領域が異なる複数の励磁用コイルと検知範囲の異なる複数の検知用コイルによって磁性タグを検知するようにしてもよく、各励磁用コイル及び検知用コイルの数は特に限定されるものではない。
【０１４２】
更に、励磁領域が異なる複数の励磁用コイルを検知用コイルと兼用可能なように、例えば励磁領域を形成している当該励磁用コイル以外の他の励磁用コイルを検知用コイルとして切替え動作可能なような構成にしてもよい。
【０１４３】
また、図８において、機密文書等の媒体に付与されたタグ４に実施例１の図３で示したタグ４と同様に、磁歪振動特性を有するような磁歪振動磁性タグを適用し、励磁された磁歪振動磁性タグを検知する場合は、交番磁界生成部２０４が交番磁界の周波数を例えば低周波から高周波へ順次変化させながら各周波数の交番磁界を各励磁用コイル２０１または２０２を介して一定時間形成した後、一定時間、各周波数毎に信号検知部２０５が磁歪振動磁性タグの残留振動により発せられる電磁波を検出するように構成することで、機密文書等の媒体に付与された磁歪振動磁性タグが検知することができる。
【０１４４】
この場合は、同一コイルを一定時間毎に交番磁界を形成する励磁用コイルと磁歪振動磁性タグが発する電磁波を検知する検知用コイルとに兼用して使用できるので、装置が更に簡素化できる。
【図面の簡単な説明】
【０１４５】
【図１】この発明に係わる書類検知装置１００が動作する全体の構成を示す斜視図
【図２】大バルクハウゼン磁性タグの特性を示す図
【図３】磁歪振動磁性タグの特性を示す図
【図４】書類検知装置１００の構成を示すブロック図
【図５】書類検知装置１００の第一、第二の各励磁用コイル１０１、１０２から発生する交番磁界の磁界強度を示す図
【図６】書類検知装置１００が磁性タグを検知する動作を示す処理フロー図
【図７】この発明に係わる書類検知装置１００とは他の書類検知装置２００が動作する全体の構成を示す平面図
【図８】書類検知装置２００の構成を示したブロック図
【図９】書類検知装置２００が磁性タグを検知する動作を示す処理フロー図
【符号の説明】
【０１４６】
１      机
２      ファイル
３      機密文書
４、２２０  磁性タグ
５、６０５  第一検知領域
６、６０６  第二検知領域
１００、２００  書類検知装置
１０１、２０１  第一励磁用コイル          
１０２、２０２  第二励磁用コイル
１０３、２０３  検知用コイル
１０４、２０４  交番磁界生成部
１０５、２０５  信号検知部
１０６、２０６  警報装置
１０６１、２０６１  第一ランプ
１０６２、２０６２  第二ランプ
２０７  駆動制御部
２０８  駆動モータ
【図１】
2005134322.tif 000003
【図２】
2005134322.tif 000004
【図３】
2005134322.tif 000005
【図４】
2005134322.tif 000006
【図５】
2005134322.tif 000007
【図６】
2005134322.tif 000008
【図７】
2005134322.tif 000009
【図８】
2005134322.tif 000010
【図９】
2005134322.tif 000011